(57)【要約】【課題】箱体の側壁の開放部分に取付部材を取り付ける際に、取付部材が側壁に傷を付けることを抑制することができる収納装置を提供する。【解決手段】収納装置１は、側壁５の一部に開放部分９を有する箱体３と、側壁５の開放部分９を閉塞して側壁５の一部を構成する本体部分１８を有する取付部材１０と、を備える。収納装置１は、取付部材１０を箱体３に取り付ける際に側壁５の開放部分９の幅を拡大させるための拡大部２３をさらに備える。【選択図】図４
2018203357.tif 000002
【特許請求の範囲】
【請求項１】
側壁の一部に開放部分を有する箱体と、
前記側壁の前記開放部分を閉塞して前記側壁の一部を構成する本体部分を有する取付部材と、
前記取付部材を前記箱体に取り付ける際に前記側壁の前記開放部分の幅を拡大させるための拡大部と、を備える
ことを特徴とする収納装置。
【請求項２】
前記拡大部は、前記箱体及び前記取付部材のうちの一方に設けられた突起と、前記箱体及び前記取付部材のうちの他方に設けられ、前記取付部材の取付完了時に前記突起が収納される凹部とを有することを特徴とする請求項１に記載の収納装置。
【請求項３】
前記箱体及び前記取付部材のうちの一方に、前記取付部材の取付方向に沿って延びるガイドレール部が設けられており、前記箱体及び前記取付部材のうちの他方には、前記ガイドレール部と係合されるガイド突起が設けられていることを特徴とする請求項１又は２に記載の収納装置。
【請求項４】
前記箱体は、上部に開口部を有する有底箱状に形成され、
前記拡大部は、前記取付部材の下端部に設けられた突起と、前記箱体の下端部に設けられ、前記取付部材の取付完了時に前記突起が収納される凹部とを有し、
前記箱体に、前記箱体の上下方向に沿って延びるガイドレール部が設けられ、前記取付部材には、前記ガイドレール部と係合されるガイド突起が設けられ、
前記突起、前記凹部、前記ガイドレール部及び前記ガイド突起は、前記取付部材の前記本体部分よりも前記箱体の外方側に配置される
ことを特徴とする請求項１に記載の収納装置。
【発明の詳細な説明】
【技術分野】
【０００１】
本発明は、収納装置に関する。
【背景技術】
【０００２】
従来から、車両の車室内に配置されるグローブボックス、コンソールボックスやカップホルダ等として用いられる収納装置が公知である（例えば、特許文献１）。この収納装置として、側壁の一部に開放部分（欠損部）を有する箱体と、側壁の開放部分を閉塞するように箱体に取り付けられる取付部材と、を備えるものがある。このような収納装置においては、一般的に、箱体の側壁の開放部分に取付部材をスライドさせながら取り付けるようになっている。
【先行技術文献】
【特許文献】
【０００３】
【特許文献１】特開２０１５−１６３５２６号公報
【発明の概要】
【発明が解決しようとする課題】
【０００４】
前述のような収納装置においては、箱体の側壁の開放部分に取付部材を取り付ける際に、取付部材が側壁に傷を付ける可能性がある。
【０００５】
そこで、本発明は、箱体の側壁の開放部分に取付部材を取り付ける際に、取付部材が側壁に傷を付けることを抑制することができる収納装置を提供することを目的とする。
【課題を解決するための手段】
【０００６】
本発明に係る収納装置は、側壁の一部に開放部分を有する箱体と、側壁の開放部分を閉塞して側壁の一部を構成する本体部分を有する取付部材と、取付部材を箱体に取り付ける際に側壁の開放部分の幅を拡大させるための拡大部と、を備える。
【発明の効果】
【０００７】
本発明に係る収納装置によれば、箱体の側壁の開放部分に取付部材を取り付ける際に、取付部材が側壁に傷を付けることを抑制することができる。
【図面の簡単な説明】
【０００８】
【図１】本発明の実施形態に係る収納装置の斜視図である。
【図２】図１のＡ線矢視断面図である。
【図３】図１のＢ線矢視図である。
【図４】取付部材の取付前を示す収納装置の斜視図である。
【図５】箱体の要部拡大斜視図である。
【図６】取付部材の斜視図である。
【図７】取付部材の正面図である。
【図８】取付部材の側面図である。
【図９】取付部材の取付途中を示す収納装置の斜視図である。
【図１０】図９のＣ線矢視断面図である。
【発明を実施するための形態】
【０００９】
以下、本発明の実施形態を図面と共に詳述する。
【００１０】
本発明の実施形態に係る収納装置は、例えば、車両の車室内に配置されるコンソールボックス、グローブボックス、ボックストレイやカップホルダ等の車両用収納装置に適用することが可能である。
【００１１】
図１から図４に示すように、収納装置１は、上部に開口部２を有する有底箱状の箱体３と、箱体３を囲うように取り付けられる装飾部材（図示せず）と、を備えて構成されている。前記の装飾部材は、ガーニッシュやフィニッシャ等とも称されるものである。
【００１２】
箱体３は、例えば合成樹脂材料により形成されている。箱体３は、平面視で矩形状に形成された底壁４と、底壁４の外周縁部から上方に延在する側壁５と、を有して構成されている。また、箱体３には、側壁５の上部を囲むフランジ部６が形成されている（図１参照）。フランジ部６は、図示しない装飾部材との接続部分を構成している。そして、箱体３の上部（上面）に、開口部２が開口させて形成されている。
【００１３】
本実施形態では、箱体３の側壁５には、中間材としてのパッド７と、側壁５の内表面を構成する表皮材８とが重ねて貼り付けられている（図２参照）。なお、箱体３の側壁５に表皮材８を必ずしも貼り付ける必要はなく、例えば、箱体３の側壁５に鏡面仕上げや植毛仕上げ等を施すようにしてもよい。
【００１４】
箱体３の側壁５の一部に開放部分（欠損部）９が形成されており、開放部分９を閉塞するように取付部材１０が箱体３に取り付けられている。
【００１５】
図５に示すように、箱体３には、開放部分９を間に挟んで対向する側壁５同士を連結する上側連結部１１及び下側連結部１２と、これらの上側連結部１１と下側連結部１２とを連結する上下方向連結部１３とが形成されている。上側連結部１１及び下側連結部１２には、取付部材１０を固定するためのねじ１４が挿通される挿通孔１５が複数設けられ、上下方向連結部１３には、後述するガイドレール部２１の一部を構成する組立ガイドリブ１６が設けられている。組立ガイドリブ１６は、開放部分９の両側部にそれぞれ形成されている。さらに、箱体３の底壁４には、後述する係合片１９が挿入して係合される係合片受部１７が凹設されている。
【００１６】
これらの上側連結部１１、下側連結部１２、上下方向連結部１３、挿通孔１５、組立ガイドリブ１６及び係合片受部１７は、取付部材１０の本体部分１８よりも箱体３の外方側に配置されている。また、上側連結部１１、下側連結部１２、上下方向連結部１３、挿通孔１５、組立ガイドリブ１６及び係合片受部１７は、収納装置１の組立完成後においては、取付部材１０の本体部分１８と、図示しない装飾部材（ガーニッシュ）との間の空間に位置することになる。このため、収納装置１の組立完成後においては、上側連結部１１、下側連結部１２、上下方向連結部１３、挿通孔１５、組立ガイドリブ１６及び係合片受部１７については、箱体３の内部及び外部からは視認できないようになる。
【００１７】
取付部材１０は、例えば合成樹脂材料により形成されている。図６から図８に示すように、取付部材１０は、側壁５の開放部分９を閉塞して側壁５の一部を構成する本体部分１８を有して構成されている。本実施形態では、四辺ある側壁５のうちの一辺に開放部分９が形成されており、この開放部分９が取付部材１０の本体部分１８により閉塞されている。すなわち、四辺ある側壁５のうちの一辺が取付部材１０の本体部分１８により置き換えられている。
【００１８】
取付部材１０の本体部分１８は、幅Ｌ１が開放部分９の幅Ｌ２と同一か、或いはそれよりも僅かに広く形成されている（図５から図７参照）。このため、取付部材１０を箱体３に取り付けた後の状態においては、取付部材１０の本体部分１８と箱体３の側壁５との間の隙間はゼロとなるようになっている。
【００１９】
また、取付部材１０の本体部分１８の下端部に、箱体３の係合片受部１７に挿入して係合される係合片１９が設けられ、取付部材１０の本体部分１８の外表面（箱体３の外方側の面）には、ねじ１４が螺合されるねじ孔部２０が複数形成されている。本実施形態では、ねじ孔部２０は、本体部分１８の角部分にそれぞれ形成されている。
【００２０】
また、図５から図８に示すように、箱体３に、取付部材１０の取付方向（上下方向）に沿って延びるガイドレール部２１が設けられ、取付部材１０には、ガイドレール部２１と係合されるガイド突起２２が設けられている。本実施形態では、ガイド突起２２は、取付部材１０の本体部分１８の外表面（箱体３の外方側の面）に形成された断面Ｌ字状の凸部から構成されている。ガイド突起２２をガイドレール部２１に差し込み、ガイドレール部２１の一部を構成する組立ガイドリブ１６に沿わせてガイドレール部２１をスライドさせることにより、箱体３に対する取付部材１０の位置決めを行うようになっている。なお、本実施形態とは逆に、取付部材１０に「ガイドレール部」を設け、箱体３に「ガイド突起」を設けるようにしてもよい。
【００２１】
収納装置１は、取付部材１０を箱体３に取り付ける際に側壁５の開放部分９の幅を拡大させるための拡大部２３をさらに備えている。
【００２２】
拡大部２３は、取付部材１０の下端部に設けられた突起２４と、箱体３の下端部に設けられ、取付部材１０の取付完了時に突起２４が収納される凹部２５とを有して構成されている。本実施形態では、突起２４は、取付部材１０におけるガイド突起２２の下端に形成されており、凹部２５は、箱体３におけるガイドレール部２１の下端に形成されている。なお、本実施形態とは逆に、箱体３に「突起」を設け、取付部材１０に「凹部」を設けるようにしてもよい。このようにする場合、例えば、箱体３におけるガイドレール部２１の上端に「突起」を設け、取付部材１０におけるガイド突起２２の上端に「凹部」を設ける。
【００２３】
これらのガイドレール部２１、ガイド突起２２、突起２４及び凹部２５は、取付部材１０の本体部分１８よりも箱体３の外方側に配置されている。また、ガイドレール部２１、ガイド突起２２、突起２４及び凹部２５は、収納装置１の組立完成後においては、取付部材１０の本体部分１８と、図示しない装飾部材（ガーニッシュ）との間の空間に位置することになる。このため、収納装置１の組立完成後においては、ガイドレール部２１、ガイド突起２２、突起２４及び凹部２５については、箱体３の内部及び外部からは視認できないようになる。
【００２４】
次に、箱体３に対して取付部材１０を取り付ける方法（収納装置１の組立方法）を説明する。
【００２５】
取付部材１０の突起２４及びガイド突起２２を上方から箱体３のガイドレール部２１に差し込む（図４参照）。
【００２６】
取付部材１０の突起２４及びガイド突起２２を上方から箱体３のガイドレール部２１に差し込むことにより、箱体３の側壁５が取付部材１０の突起２４によって箱体３の外方側に押されてたわむ。この箱体３の側壁５のたわみ変形に伴い側壁５の開放部分９の幅を一時的に拡大させることができ、取付部材１０の本体部分１８と側壁５の表皮材８とが接触しないようにすることができる（図９及び図１０参照）。
【００２７】
取付部材１０の下端部の突起２４が箱体３の下端部の凹部２５に入り込むと、箱体３の側壁５のたわみ変形が無くなって開放部分９の幅が元の状態に戻る。箱体３の側壁５のたわみ変形が無くなることにより、取付部材１０の本体部分１８と側壁５の表皮材８とが接触することになり、取付部材１０の本体部分１８と箱体３の側壁５（表皮材８）との間の隙間はゼロとなる（図１及び図２参照）。そして、この状態において、ねじ１４を、箱体３の挿通孔１５に挿通し、さらに取付部材１０のねじ孔部２０に螺合させることにより、取付部材１０が箱体３に対して固定される。
【００２８】
以下に、本実施形態による作用効果を説明する。
【００２９】
（１）本実施形態に係る収納装置１は、側壁５の一部に開放部分９を有する箱体３と、側壁５の開放部分９を閉塞して側壁５の一部を構成する本体部分１８を有する取付部材１０と、を備える。収納装置１は、取付部材１０を箱体３に取り付ける際に側壁５の開放部分９の幅を拡大させるための拡大部２３をさらに備える。
【００３０】
このようにすることにより、取付部材１０を箱体３に取り付ける際に、取付部材１０の本体部分１８（箱体３の側壁５の一部を構成する部分）が箱体３の側壁５に接触しないようになるので、取付部材１０が側壁５に傷を付けることを抑制することができる。
【００３１】
（２）拡大部２３は、箱体３及び取付部材１０のうちの一方に設けられた突起２４と、箱体３及び取付部材１０のうちの他方に設けられ、取付部材１０の取付完了時に突起２４が収納される凹部２５とを有する。
【００３２】
このようにすることにより、取付部材１０を箱体３に取り付ける際に側壁５の開放部分９の幅を拡大させ、その一方で、取付部材１０を箱体３に取り付けた状態においては、取付部材１０の本体部分１８と箱体３の側壁５との間の隙間をゼロ（元の状態）とすることが可能である。
【００３３】
（３）箱体３及び取付部材１０のうちの一方に、取付部材１０の取付方向に沿って延びるガイドレール部２１が設けられ、箱体３及び取付部材１０のうちの他方には、ガイドレール部２１と係合されるガイド突起２２が設けられる。
【００３４】
このようにすることにより、取付部材１０を箱体３に取り付ける際に、箱体３の側壁５に対する取付部材１０の本体部分１８の位置決めを行うことが可能である。
【００３５】
（４）箱体３は、上部に開口部２を有する有底箱状に形成される。拡大部２３は、取付部材１０の下端部に設けられた突起２４と、箱体３の下端部に設けられ、取付部材１０の取付完了時に突起２４が収納される凹部２５とを有する。箱体３に、箱体３の上下方向に沿って延びるガイドレール部２１が設けられ、取付部材１０には、ガイドレール部２１と係合されるガイド突起２２が設けられる。そして、突起２４、凹部２５、ガイドレール部２１及びガイド突起２２は、取付部材１０の本体部分１８よりも箱体３の外方側に配置される。
【００３６】
このようにすることにより、取付部材１０を箱体３に取り付けた状態においては、突起２４、凹部２５、ガイドレール部２１及びガイド突起２２については、箱体３の内部からは視認できないような構成とすることが可能である。
【００３７】
ところで、本発明の収納装置は前述の実施形態に例をとって説明したが、この実施形態に限ることなく本発明の要旨を逸脱しない範囲で他の実施形態を各種採用することができる。
【符号の説明】
【００３８】
１  収納装置
２  開口部
３  箱体
５  側壁
９  開放部分
１０  取付部材
１８  本体部分
２１  ガイドレール部
２２  ガイド突起
２３  拡大部
２４  突起
２５  凹部
【図１】
2018203357.tif 000003
【図２】
2018203357.tif 000004
【図３】
2018203357.tif 000005
【図４】
2018203357.tif 000006
【図５】
2018203357.tif 000007
【図６】
2018203357.tif 000008
【図７】
2018203357.tif 000009
【図８】
2018203357.tif 000010
【図９】
2018203357.tif 000011
【図１０】
2018203357.tif 000012